(57)【要約】【課題】異なる機器を互いに係止する状態として、携帯可能な状態にする。【解決手段】表示部を備える第１の機器と、情報の入力または出力のうちの少なくとも一方を行う第２の機器であり、第１の機器と通信により情報の授受を行う第２の機器と、第１の機器は、複数の第１の磁石を備え、第２の機器は、複数の第２の磁石を備え、第１の磁石と第２の磁石は、第１の機器と第２の機器が重ね合わされたときに重なる位置に、第１の機器と第２の機器のそれぞれに配置され、表示部が備えられている面側の複数の第１の磁石の極のうち、少なくとも１つの第１の磁石の極は、他の第１の磁石と異なる極であり、第１の機器と第２の機器が重ね合わされたとき、第１の磁石と第２の磁石の引き合う力により、第１の機器と第２の機器は互いに係止する状態となる。本技術は、パーソナルコンピュータに適用できる。【選択図】図７
2014235703.tif 000002
【特許請求の範囲】
【請求項１】
表示部を備える第１の機器と、
情報の入力または出力のうちの少なくとも一方を行う第２の機器であり、前記第１の機器と通信により前記情報の授受を行う第２の機器と、
前記第１の機器は、複数の第１の磁石を備え、
前記第２の機器は、複数の第２の磁石を備え、
前記第１の磁石と前記第２の磁石は、前記第１の機器と前記第２の機器が重ね合わされたときに重なる位置に、前記第１の機器と前記第２の機器のそれぞれに配置され、
前記第１の機器と前記第２の機器が重ね合わされたとき、前記第１の磁石と前記第２の磁石の引き合う力により、前記第１の機器と前記第２の機器は互いに係止する状態となり、
前記第１の機器と前記第２の機器が重ね合わされる状態が、正しい方向で行われているか否かを検出する誤方向検出部を備える
情報処理装置。
【請求項２】
前記誤方向検出部は、前記表示部が備えられている面側の前記複数の第１の磁石の極のうち、少なくとも１つの第１の磁石の極は、他の第１の磁石と異なる極とすることで構成されている
請求項１に記載の情報処理装置。
【請求項３】
前記第１の機器は、前記第２の機器に給電する給電端子をさらに備え、
前記第２の機器は、前記第１の機器からの給電を受ける受電端子をさらに備え、
前記第１の機器と前記第２の機器が重ね合わされた状態のとき、前記給電端子と前記受電端子が接続状態になる位置に、前記給電端子と前記受電端子は、それぞれ前記第１の機器と前記第２の機器に配置され、
前記給電端子と前記受電端子が接続しているとき、前記第２の機器の電池が充電される
請求項１に記載の情報処理装置。
【請求項４】
前記給電端子と前記受電端子のうちの一方は、一部に曲面を有する凸状の形状であり、他方は一部に曲面を有する凹状の形状である
請求項３に記載の情報処理装置。
【請求項５】
前記誤方向検出部は、前記給電端子と前記受電端子で構成される
請求項４に記載の情報処理装置。
【請求項６】
前記第１の機器は、前記第２の機器に給電する給電部をさらに備え、
前記第２の機器は、前記第１の機器からの給電を受ける受電部をさらに備え、
前記第１の機器と前記第２の機器が重ね合わされた状態のとき、前記給電部と前記受電部も重なり合う状態になる位置に、前記給電部と前記受電部は、それぞれ前記第１の機器と前記第２の機器に配置され、
前記給電部と前記受電部が重なり合っているとき、前記第２の機器の電池が充電される
請求項１に記載の情報処理装置。
【請求項７】
前記第２の機器は、キーボード、タッチパッド、ペンタブレット、スピーカーのいずれかを少なくとも含む機器である
請求項１に記載の情報処理装置。
【請求項８】
前記第１の機器の前記表示部が設けられている面または前記第１の機器の裏面に、前記第２の機器が重ね合わされ、その重ね合わされた状態が前記第１の磁石と前記第２の磁石の引き合う力により維持される
請求項１に記載の情報処理装置。
【請求項９】
前記第１の機器の裏面に、前記第２の機器が重ね合わされているとき、タブレット型のパーソナルコンピュータとして機能する
請求項１に記載の情報処理装置。
【請求項１０】
前記第１の機器と前記第２の機器が重ね合わされた状態のとき、前記第１の機器の前記表示部と、前記第２の機器が接触しないように、前記第２の機器の前記表示部に対応する部分は、前記第２の機器の縁の部分よりも窪んだ形状で構成されている
請求項１に記載の情報処理装置。
【請求項１１】
前記第１の機器の裏面には、前記第１の機器を支持する支持部が設けられ、
前記支持部は、前記第１の機器に対して開閉自在に設けられている
請求項１に記載の情報処理装置。
【請求項１２】
前記第１の機器の前記表示部の外周部分には、段差が設けられている
請求項１に記載の情報処理装置。
【請求項１３】
給電する第１の機器と、
前記第１の機器からの給電を受電する第２の機器と、
前記第１の機器は、複数の第１の磁石を備え、
前記第２の機器は、複数の第２の磁石を備え、
前記第１の磁石と前記第２の磁石は、前記第１の機器と前記第２の機器が重ね合わされたときに重なる位置に、前記第１の機器と前記第２の機器のそれぞれに配置され、
前記第１の機器と前記第２の機器が重ね合わされたとき、前記第１の磁石と前記第２の磁石の引き合う力により、前記第１の機器と前記第２の機器は互いに係止する状態となり、
前記第１の機器と前記第２の機器が重ね合わされる状態が、正しい方向で行われているか否かを検出する誤方向検出部を備える
情報処理装置。
【発明の詳細な説明】
【技術分野】
【０００１】
本技術は、情報処理装置に関する。詳しくは、別体で構成されている機器を重ね合わせ、携帯可能にする情報処理装置に関する。
【背景技術】
【０００２】
近年、携帯型のパーソナルコンピュータとしてノート型のパーソナルコンピュータが普及している。ノート型のパーソナルコンピュータでは、ディスプレイが、キーボード側に折り畳まれ、係合する部分が係合することでディスプレイとキーボードが重なり合った状態が維持されるように構成されている。（例えば、特許文献１参照）
【先行技術文献】
【特許文献】
【０００３】
【特許文献１】特開２００８−１１２３２８号公報
【発明の概要】
【発明が解決しようとする課題】
【０００４】
近年、タブレット型などと称されるパーソナルコンピュータが普及しつつある。タブレット型のパーソナルコンピュータでは、タッチパネルが装着され、表示画面を見ながら操作できるように構成されている。よってキーボードなどの入力装置は、必ずしも必要が無いが、テキストを入力するときなどにはキーボードなどの入力装置がある方が好まし場合もある。
【０００５】
このような装置において、例えば特許文献１に記載されている技術を適用した場合、キーボードは装着部を介してディスプレイと接続されているため、ディスプレイとキーボードを離した状態で使用することはできない。よって、タブレットとして使うとき、キーボードは本体と離れず、タブレットとしての使い勝手が低下してしまう。
【０００６】
例えば、タブレット型のパーソナルコンピュータにおいて、使いたいと所望したときに、キーボードが使え、使わないときにはタブレットとしての使い勝手を低下させないような構成とすることが望まれている。
【０００７】
本技術は、このような状況に鑑みてなされたものであり、例えば、キーボードとディスプレイといった異なる機器であるが、必要に応じて連携して用いられる機器を、重ねて携帯できるようにしたり、離れた状態で使用できるようにしたりするものである。
【課題を解決するための手段】
【０００８】
本技術の一側面の第１の情報処理装置は、表示部を備える第１の機器と、情報の入力または出力のうちの少なくとも一方を行う第２の機器であり、前記第１の機器と通信により前記情報の授受を行う第２の機器と、前記第１の機器は、複数の第１の磁石を備え、前記第２の機器は、複数の第２の磁石を備え、前記第１の磁石と前記第２の磁石は、前記第１の機器と前記第２の機器が重ね合わされたときに重なる位置に、前記第１の機器と前記第２の機器のそれぞれに配置され、前記第１の機器と前記第２の機器が重ね合わされたとき、前記第１の磁石と前記第２の磁石の引き合う力により、前記第１の機器と前記第２の機器は互いに係止する状態となり、前記第１の機器と前記第２の機器が重ね合わされる状態が、正しい方向で行われているか否かを検出する誤方向検出部を備える。
【０００９】
前記誤方向検出部は、前記表示部が備えられている面側の前記複数の第１の磁石の極のうち、少なくとも１つの第１の磁石の極は、他の第１の磁石と異なる極とすることで構成されているようにすることができる。
【００１０】
前記第１の機器は、前記第２の機器に給電する給電端子をさらに備え、前記第２の機器は、前記第１の機器からの給電を受ける受電端子をさらに備え、前記第１の機器と前記第２の機器が重ね合わされた状態のとき、前記給電端子と前記受電端子が接続状態になる位置に、前記給電端子と前記受電端子は、それぞれ前記第１の機器と前記第２の機器に配置され、前記給電端子と前記受電端子が接続しているとき、前記第２の機器の電池が充電されるようにすることができる。
【００１１】
前記給電端子と前記受電端子のうちの一方は、一部に曲面を有する凸状の形状であり、他方は一部に曲面を有する凹状の形状であるようにすることができる。
【００１２】
前記誤方向検出部は、前記給電端子と前記受電端子で構成されるようにすることができる。
【００１３】
前記第１の機器は、前記第２の機器に給電する給電部をさらに備え、前記第２の機器は、前記第１の機器からの給電を受ける受電部をさらに備え、前記第１の機器と前記第２の機器が重ね合わされた状態のとき、前記給電部と前記受電部も重なり合う状態になる位置に、前記給電部と前記受電部は、それぞれ前記第１の機器と前記第２の機器に配置され、前記給電部と前記受電部が重なり合っているとき、前記第２の機器の電池が充電されるようにすることができる。
【００１４】
前記第２の機器は、キーボード、タッチパッド、ペンタブレット、スピーカーのいずれかを少なくとも含む機器であるようにすることができる。
【００１５】
前記第１の機器の前記表示部が設けられている面または前記第１の機器の裏面に、前記第２の機器が重ね合わされ、その重ね合わされた状態が前記第１の磁石と前記第２の磁石の引き合う力により維持されるようにすることができる。
【００１６】
前記第１の機器の裏面に、前記第２の機器が重ね合わされているとき、タブレット型のパーソナルコンピュータとして機能するようにすることができる。
【００１７】
前記第１の機器と前記第２の機器が重ね合わされた状態のとき、前記第１の機器の前記表示部と、前記第２の機器が接触しないように、前記第２の機器の前記表示部に対応する部分は、前記第２の機器の縁の部分よりも窪んだ形状で構成されているようにすることができる。
【００１８】
前記第１の機器の裏面には、前記第１の機器を支持する支持部が設けられ、前記支持部は、前記第１の機器に対して開閉自在に設けられているようにすることができる。
【００１９】
前記第１の機器の前記表示部の外周部分には、段差が設けられているようにすることができる。
【００２０】
本技術の一側面の第２の情報処理装置は、給電する第１の機器と、前記第１の機器からの給電を受電する第２の機器と、前記第１の機器は、複数の第１の磁石を備え、前記第２の機器は、複数の第２の磁石を備え、前記第１の磁石と前記第２の磁石は、前記第１の機器と前記第２の機器が重ね合わされたときに重なる位置に、前記第１の機器と前記第２の機器のそれぞれに配置され、前記第１の機器と前記第２の機器が重ね合わされたとき、前記第１の磁石と前記第２の磁石の引き合う力により、前記第１の機器と前記第２の機器は互いに係止する状態となり、前記第１の機器と前記第２の機器が重ね合わされる状態が、正しい方向で行われているか否かを検出する誤方向検出部を備える。
【００２１】
本技術の一側面の第１の情報処理装置は、表示部を備える第１の機器と、情報の入力または出力のうちの少なくとも一方を行う第２の機器から構成される。第２の機器は、第１の機器と通信により情報の授受を行い、第１の機器は、複数の第１の磁石を備え、第２の機器は、複数の第２の磁石を備える。第１の磁石と第２の磁石は、第１の機器と第２の機器が重ね合わされたときに重なる位置に、第１の機器と第２の機器のそれぞれに配置される。そして、第１の機器と第２の機器が重ね合わされたとき、第１の磁石と第２の磁石の引き合う力により、第１の機器と第２の機器は互いに係止する状態となる。また、第１の機器と第２の機器が重ね合わされる状態が、正しい方向で行われているか否かが検出され、正しい方向で重ね合わせられ、係止されるように構成される。
【００２２】
本技術の一側面の第２の情報処理装置は、給電する第１の機器と、第１の機器からの給電を受電する第２の機器とから構成される。第１の機器は、複数の第１の磁石を備え、第２の機器は、複数の第２の磁石を備え、第１の磁石と第２の磁石は、第１の機器と第２の機器が重ね合わされたときに重なる位置に、第１の機器と第２の機器のそれぞれに配置される。第１の機器と第２の機器が重ね合わされたとき、第１の磁石と第２の磁石の引き合う力により、第１の機器と第２の機器は互いに係止する状態となる。また、第１の機器と第２の機器が重ね合わされる状態が、正しい方向で行われているか否かが検出され、正しい方向で重ね合わせられ、係止されるように構成される。
【発明の効果】
【００２３】
本技術の一側面によれば、例えば、キーボードとディスプレイといった異なる機器であるが、必要に応じて連携して用いられる機器を、重ねて携帯できるようにしたり、離れた状態で使用できるようにしたりすることができる。
【図面の簡単な説明】
【００２４】
【図１】本技術を適用した情報処理装置の一実施の形態の構成を示す図である。
【図２】情報処理装置の裏面の外観の構成を示す図である。
【図３】支持部が開いたときの外観の構成を示す図である。
【図４】情報処理装置の本体の内部構成を示す図である。
【図５】情報処理装置の入出力部の内部構成を示す図である。
【図６】本体と入出力部が重ねられた状態を示す図である。
【図７】本体に入出力部が装着されるための構造を説明するための図である。
【図８】正しい方向での装着について説明するための図である。
【図９】誤った方向での装着について説明するための図である。
【図１０】磁石の配置について説明するための図である。
【図１１】磁石の配置について説明するための図である。
【図１２】磁石の配置について説明するための図である。
【図１３】端子の構成について説明するための図である。
【図１４】重ね合わせについて説明するための図である。
【図１５】重ね合わせについて説明するための図である。
【図１６】キーボードと表示部との空間について説明するための図である。
【図１７】非接触充電を行う情報処理装置の外観の構成を示す図である。
【図１８】非接触充電に係わる構成について説明するための図である。
【図１９】本体に設けられる段差について説明するための図である。
【図２０】本体の裏面への入力部の装着について説明するための図である。
【図２１】磁石の配置について説明するための図である。
【発明を実施するための形態】
【００２５】
以下に、本技術を実施するための形態（以下、実施の形態という）について説明する。なお、説明は、以下の順序で行う。
１．情報処理装置の外観の構成
２．情報処理装置の内部構成
３．情報処理装置の重ね合わせについて
４．磁石を用いた係止について
５．端子の構成
６．非接触充電について
７．裏面への装着について
８．電磁石を用いた情報処理装置の重ね合わせについて
【００２６】
＜情報処理装置の外観の構成＞
図１、図２は、本技術を適用した情報処理装置の一実施の形態の外観の構成を示す図である。情報処理装置１００は、本体１０１と入出力部１０２が、別体で構成され、無線でデータの授受を行う構成とされている。本体１０１の表面には、表示部１１１が設けられている。入出力部１０２の表面には、キーボード１２１が設けられている。
【００２７】
キーボード１２１の操作データは、無線通信で、本体１０１側に供給される。このように、本実施の形態における情報処理装置１００は、本体１０１と入出力部１０２に分けられ、データの授受を無線で行う構成とされている。このように本体１０１と入出力部１０２は、離れた位置に設置できるように構成されている。
【００２８】
例えば、入出力部１０２のキーボード１２１が操作されて入力されたテキストは、本体１０１の表示部１１１に表示される。
【００２９】
なお、ここでは、無線でデータの授受を行うとして説明を続けるが、ＵＳＢ（Universal Serial Bus）ケーブルなどの所定のケーブルで接続され、データの授受が行われるようにしても良い。
【００３０】
入出力部１０２として、ここでではキーボード１２１を備える構成を一例として説明したが、タッチパッド、ペンタブレットなどを備える構成や、それらの組み合わせ、例えば、キーボード１２１とタッチパッドを備える構成とすることも可能である。
【００３１】
また、ここでは、入出力部１０２とし、入力装置を一例として説明を続けるが、スピーカなどの出力装置であっても良い。例えば、本体１０１からのデータを受信し、音楽を出力するスピーカとして、入出力部１０２が構成されていても良い。勿論、キーボード１２１とスピーカから構成されるようにし、入力装置および出力装置として機能するように、入出力部１０２が構成されるようにすることも可能である。
【００３２】
またここでは、入出力部１０２により入力が行われるとして説明を続けるが、例えば、本体１０１側にも情報を入力できる装置が備えられるような構成とすることも可能である。例えば、表示部１１１の表面に、タッチパネル（不図示）を設け、その本体１０１に設けられたタッチパネルが操作されることで、情報が入力される構成とすることも可能である。
【００３３】
タッチパネルが表示部１１１に設けられた構成とした場合、本体１０１は、例えばタブレットなどと称されるコンピュータとして単体で動作する装置として用いることができる。
【００３４】
情報処理装置１００の本体１０１と入出力部１０２は、重ね合わせることができる構成とされている。詳細は後述するが、本体１０１と入出力部１０２を重ね合わせたとき、本体１０１に設けられている端子１１２と、入出力部１０２に設けられている端子１２２は接触するように構成されている。端子１１２と端子１２２の一方は凹状に構成され、他方は凸状に構成されているため、一方が他方に一部が収納されるような構成となっている。
【００３５】
端子１１２と端子１１２が接触することで、入出力部１０２に備えられているバッテリーが充電される構成とされている。本体１０１と入出力部１０２は、それぞれバッテリーを内蔵しており、本体１０１の方が、入出力部１０２よりも容量の大きいバッテリーを内蔵している。
【００３６】
本体１０１と入出力部１０２が通信する際に必要とされる電力は、それぞれが内蔵しているバッテリーから供給される。よって、入出力部１０２のバッテリーの容量が減り、端子１１２と端子１２２が接続状態にあるときには、本体１０１のバッテリーから入出力部１０２のバッテリーに電力が供給され、入出力部１０２のバッテリーが充電されるように構成されている。
【００３７】
図２は、情報処理装置１００の裏面の構成を示す図である。本体１０１の裏面には、支持部１３１が設けられている。この支持部１３１は、後述するように、本体１０１に対して開閉自在に設けられており、図２では、閉じられた状態を示している。図３に示すように、支持部１３１が開かれると、その支持部１３１により、本体１０１が支持される状態となり、例えば卓上に、所定の角度を有した状態で、本体１０１を置いて利用することができる状態とされる。
【００３８】
例えば、ユーザは、所定の角度を有して卓上に置かれた表示部１１１を見ながら、入出力部１０２のキーボード１２１を操作して、所定の処理を行うことができる。
【００３９】
入出力部１０２の裏面には、支持部は設けられていないが、例えば、入出力部１０２がスピーカであるような場合、卓上に所定の角度を有して立てられるように、支持部を設ける構成とすることも可能である。
【００４０】
なお、情報処理装置１００の側面は図示しないが、例えば、メモリーカードスロットや、ＵＳＢ端子などが設けられている。
【００４１】
＜情報処理装置の内部構成＞
図４は、情報処理装置１００の本体１０１のハードウエアの構成例を示すブロック図である。本体１０１において、ＣＰＵ（Central Processing Unit）１５１、ＲＯＭ（Read Only Memory）１５２、ＲＡＭ（Random Access Memory）１５３は、バス１５４により相互に接続されている。バス１５４には、さらに、入出力インタフェース１５５が接続されている。入出力インタフェース１５５には、記憶部１５６、通信部１５７、およびドライブ１５８が接続されている。
【００４２】
本体１０１は、バッテリー１５９を備え、本体１０１の各部が動作するときに必要となる電力を供給する。またバッテリー１５９は、二次電池であり、充電可能な電池とされている。
【００４３】
記憶部１５６は、ハードディスクや不揮発性のメモリなどよりなる。通信部１５７は、ネットワークインタフェースなどよりなる。ここでは、通信部１５７は、入出力部１０２との通信を行うとして説明を続ける。ドライブ１５８は、磁気ディスク、光ディスク、光磁気ディスク、または半導体メモリなどのリムーバブルメディア１６０を駆動する。
【００４４】
なお、本体１０１の表示部１１１にタッチパネルが装着され、データの入力が行えるように構成されている場合、本体１０１には、入力部も設けられる。
【００４５】
図５は、情報処理装置１００の入出力部１０２のハードウエアの構成例を示すブロック図である。入出力部１０２は、基板１８１、キーボード１８２、およびバッテリー１８３を含む構成とされている。基板１８１には通信部を含み、キーボード１８２が操作されたときの操作信号を生成し、本体１０１に送信する。
【００４６】
バッテリー１８３は、入出力部１０２の各部が動作するときに必要となる電力を供給する。またバッテリー１８３は、二次電池であり、充電可能な電池とされている。また以下の説明では、入出力部１０２のバッテリー１８３は、本体１０１のバッテリー１５９からの給電を受け、充電されるとして説明を続ける。
【００４７】
＜情報処理装置の重ね合わせについて＞
本体１０１と入出力部１０２は、重ね合わせることが可能な構成とされており、重ね合わせられた状態のとき、携帯しやすいような構成とされている。
【００４８】
図６は、本体１０１と入出力部１０２が重ね合わされた状態を示す図である。図６では、本体１０１が入出力部１０２上に重ねられている状態を示している。また図６に示した状態は、本体１０１の表示部１１１と入出力部１０２のキーボード１２１が向かい合った状態で重ねられた状態である。このような本体１０１と入出力部１０２が重ね合わされた状態は、ノート型のパーソナルコンピュータのように、携帯が容易にできる状態である。
【００４９】
本体１０１と入出力部１０２が単に重ね合わされているだけでは、本体１０１が入出力部１０２に対してずれてしまったりして不安定な状態であり、携帯は容易にできず、落として破損してしまう可能性などがある。本体１０１と入出力部１０２が重ね合わせたとき、本体１０１と入出力部１０２がずれたりすることなく、本体１０１と入出力部１０２が互いに係止した状態とされるための仕組みについて説明する。
【００５０】
＜磁石を用いた係止について＞
ここでは、磁石の引き合う力を利用して、本体１０１と入出力部１０２が重ね合わされたときに、互いに係止された状態となるための構成について説明を加える。
【００５１】
図７は、本体１０１と入出力部１０２にそれぞれ設けられた磁石の位置関係を説明するための図である。本体１０１には、磁石２０１乃至２０４が、それぞれ本体１０１の角部分に設けられている。磁石２０１は、表示部１１１の左上に設けられ、磁石２０２は、表示部１１１の右上に設けられ、磁石２０３は、表示部１１１の右下に設けられ、磁石２０４は、表示部１１１の左下に設けられている。
【００５２】
これらの磁石が配置されている位置に対応する入出力部１０２の位置に、磁石は設けられている。対応する位置とは、本体１０１と入出力部１０２が重ねられたときに磁石同士が重なる位置である。入出力部１０２のキーボード１２１の左上には、磁石２２１が設けられ、右上には、磁石２２２が設けられ、右下には、磁石２２３が設けられ、左下には、磁石２２４が設けられている。
【００５３】
本体１０１と入出力部１０２が重ね合わされたときに、磁石同士が引き合うように磁石の極がくるように、それぞれの磁石は本体１０１と入出力部１０２に、それぞれ設けられている。
【００５４】
仮に、本体１０１と入出力部１０２が重ね合わされたときに、互いの位置関係がずれないように装着された状態が維持することを目的とした場合、本体１０１の磁石２０１乃至２０４は、表示部１１１側の面において全て同じ極を向け、入出力部１０２の磁石２２１乃至２２４は、キーボード１２１側の面において全て同じ極であり、磁石２０１乃至２０４とは異なる極を向けていればよい。
【００５５】
例えば、本体１０１の表示部１１１側の面側には、磁石２０１乃至２０４のＮ極が来るように磁石２０１乃至２０４が設けられ、入出力部１０２のキーボード１２１側の面側には、磁石２２１乃至２２４のＳ極が来るように磁石２２１乃至２２４が設けられるようにする。
【００５６】
このように構成された場合、本体１０１と入出力部１０２が重ね合わされたとき、磁石２０１乃至２０４と磁石２２１乃至２２４は、それぞれ対向する磁石同士で引き合う関係になる。よって、本体１０１と入出力部１０２が重ね合わされたときに、磁石同士の引き合う力により、本体１０１と入出力部１０２の互いの位置関係がずれないように装着された状態を維持することができる。
【００５７】
上記したように、情報処理装置１００は、端子１１２と端子１２２を有し、本体１０１と入出力部１０２が重ね合わされているときに、本体１０１のバッテリー１５９から電力を供給し、入出力部１０２のバッテリー１８３を充電する機能を有する。このため、本体１０１と入出力部１０２が重ね合わされたときに、端子１１２と端子１２２が正しく接続される必要がある。
【００５８】
また後述するように、端子１１２や端子１２２を設けずに、非接触に充電が行われる構成とした場合、本体１０１と入出力部１０２が重ね合わされたとき、非接触で充電を行う部分が重なり合っていないと、充電が行えないことになる。換言すれば、本体１０１と入出力部１０２が重ね合わされるとき、誤った方向で重ね合わせられると、充電が行えないことになる。
【００５９】
このように、充電が行われるために、充電に係わる部分が正しく重ね合わされる必要がある。そこで正しい方向で本体１０１と入出力部１０２が重ね合わされるように、同一面上で少なくとも１つは異なる極となるように磁石を配置する。図７では、同一面上にある４個の磁石のうち、２つが異なる極となるように磁石が配置された例を示している。
【００６０】
図７を参照するに、本体１０１の表示部１１１が設けられている側の面上に、Ｎ極が来るように磁石２０１と磁石２０２が配置され、Ｓ極が来るように磁石２０３と磁石２０４が配置されている。同様に、入出力部１０２のキーボード１２１が設けられている側の面上に、Ｓ極が来るように磁石２２１と磁石２２２が配置され、Ｎ極が来るように磁石２２３と磁石２２４が配置されている。
【００６１】
このように磁石が配置されることで、正しい方向で重ね合わされたときには、図８に示すような状態となり、誤った方向で重ね合わされたときには、図９に示すような状態となる。まず図８を参照し、正しい方向で重ね合わされたときについて説明する。
【００６２】
本体１０１と入出力部１０２が正しい方向で重ね合わされるとき、本体１０１の磁石２０１のＮ極と入出力部１０２の磁石２２４のＳ極が互いに引き合い、本体１０１の磁石２０２のＮ極と入出力部１０２の磁石２２３のＳ極が互いに引き合う。同様に、本体１０１の磁石２０３（図８では不図示）のＳ極と入出力部１０２の磁石２２２のＮ極が互いに引き合い、本体１０１の磁石２０４のＳ極と入出力部１０２の磁石２２１のＮ極が互いに引き合う。
【００６３】
このように、本体１０１と入出力部１０２が正しい方向で重ね合わされるときには、本体１０１と入出力部１０２の磁石が互いに引き合う状態となる。ユーザは、そのような引き合う力にしたがって、例えば、本体１０１に入出力部１０２を滑らすように移動させることで、本体１０１と入出力部１０２を正しい方向で重ね合わせることが可能となる。
【００６４】
このように本体１０１と入出力部１０２が重ね合わせられると、端子１１２と端子１２２は、接触する状態となり、充電可能な状態となる。また、磁石同士の引き合う力により、本体１０１と入出力部１０２の重なり合った状態が維持される。すなわち、本体１０１と入出力部１０２が、互いに、係止し合う状態が維持される。
【００６５】
なお、正しい方向とは、上記したように、磁石同士が引き合う力が発生する方向であり、端子１１２と端子１２２が接触する状態にするために、本体１０１または入出力部１０２を移動させる方向である。
【００６６】
また、本体１０１の表示部１１１と入出力部１０２のキーボード１２１が対向する状態、換言すれば、本体１０１と入出力部１０２が重ね合わされた状態のときに、情報処理装置１００の内側に表示部１１１とキーボード１２１が収められ、ユーザから視認できない状態とされるための方向である。
【００６７】
また、図７に示した情報処理装置１００において、本体１０１の上辺と入出力部１０２の下辺が重なり、本体１０１の下辺と入出力部１０２の上辺が重なるようにするための方向である。図７のように、情報処理装置１００が置かれていた場合、入出力部１０２を持ち上げ、上下方向で裏返し、本体１０１に重ねる方向が、正しい方向となる。
【００６８】
なお、磁石や端子１１２，１２２の配置に依存し、正しい方向は決定されるため、上記したのは一例である。
【００６９】
上記した以外の場合が、正しくない方向、すなわち誤った方向である。誤った方向で、本体１０１と入出力部１０２が重ね合わされそうになった場合、図９に示したような状態となる。本体１０１の磁石２０１のＮ極と入出力部１０２の磁石２２２のＮ極が反発し合い、本体１０１の磁石２０２のＮ極と入出力部１０２の磁石２２１のＮ極が反発し合う。同様に、本体１０１の磁石２０３（図８では不図示）のＳ極と入出力部１０２の磁石２２４のＳ極が互いに反発し合い、本体１０１の磁石２０４のＳ極と入出力部１０２の磁石２２３のＳ極が互いに反発し合う。
【００７０】
このように、本体１０１と入出力部１０２が誤った方向で重ね合わされるときには、本体１０１と入出力部１０２の磁石が互いに反発し合う状態となる。ユーザは、そのような反発し合う力を感じることで、本体１０１と入出力部１０２を誤った方向で重ね合わそうとしていることを認識し、正しい方向での重ね合わせを行うために、例えば、入出力部１０２の向きを変えるなどの処理を実行することができる。
【００７１】
このように本体１０１と入出力部１０２が誤った状態で重ね合わせられようとした場合、端子１１２と端子１２２は、接触する状態とはならないため、充電可能な状態とはならない。しかしながら、上記したように、磁石同士の反発力により、ユーザは、本体１０１と入出力部１０２が誤った方向で重ね合わそうとしていることを認識することができるため、そのような状態になることを防ぐことが可能である。
【００７２】
また本体１０１と入出力部１０２が重なり合った後、磁石同士の引き合う力により、本体１０１と入出力部１０２が互いに係止し合う状態を維持することが可能である。
【００７３】
なおここでは、図７に示したように、例えば、本体１０１の上方にＮ極を配置し、下方にＳ極を配置する例を示したが、上方にＳ極を配置し、下方にＮ極を配置するようにしても良い。また、縦方向に同一極が配置されるようにしても良い。例えば、本体１０１の磁石２０１と磁石２０４がＮ極とされ、磁石２０２と磁石２０３がＳ極とされても良い。
【００７４】
また、例えば、４個の磁石のうちの１つだけが異なる極とされても良い。例えば、本体１０１の磁石２０１乃至２０３はＮ極とされ、磁石２０４はＳ極とされるようにしても良い。このような本体１０１の磁石の極に合わせて、入出力部１０２の磁石２２１乃至２２４の極は決定されればよい。また、このような本体１０１の磁石の極のいずれの配置であっても、上記したように、本体１０１と入出力部１０２が正しい方向で重なり合うときには、磁力の引き合う力が働き、正しい方向での重なり合いに導くことができる構成である。
【００７５】
なおここでは、図７に示したように、４個の磁石が本体１０１と入出力部１０２のそれぞれの角部分に配置される例を示したが、辺部分に設けるようにしても良い。例えば、図１０に示すように、各辺に磁石を配置しても良い。
【００７６】
図１０を参照するに、本体１０１の上辺には、磁石２５１が設けられ、右辺には、磁石２５２が設けられ、下辺には、磁石２５３が設けられ、左辺には、磁石２５４が設けられている。また各磁石は、表示部１１１が備えられている面側に、磁石２５１、磁石２５２、磁石２５３、磁石２５４の順で、Ｎ極、Ｓ極、Ｓ極、Ｎ極が配置されている。この並びは一例であり、限定を示す記載ではない。また各磁石の大きさや形状も一例であり、限定を示す記載ではない。以下の説明においても、同様である。
【００７７】
このような磁石の配置に対応する入出力部１０２の位置に、磁石が設けられる。図１０に示した例では、入出力部１０２の上辺には、磁石２７１が設けられ、右辺には、磁石２７２が設けられ、下辺には、磁石２７３が設けられ、左辺には、磁石２７４が設けられている。また各磁石は、キーボード１２１が備えられている面側に、磁石２７１、磁石２７２、磁石２７３、磁石２７４の順で、Ｎ極、Ｎ極、Ｓ極、Ｓ極が配置されている。
【００７８】
このような本体１０１と入出力部１０２の磁石の配置あっても、上記したように、本体１０１と入出力部１０２が正しい方向で重なり合うときには、磁力の引き合う力が働き、正しい方向での重なり合いに導くことができる構成である。
【００７９】
なおここでは、図７や図１０に示したように、４個の磁石が本体１０１と入出力部１０２にそれぞれ配置される例を示したが、磁石の数は、４個に限定されることを示す記載ではない。例えば、図１１に示すように、２個であっても良い。
【００８０】
図１１を参照するに、本体１０１には、磁石２５１と磁石２５３が設けられている。また、入出力部１０２には、磁石２７１と磁石２７３が設けられている。図１１に示した本体１０１は、図１０に示した本体１０１から磁石２５２と磁石２５４を削除した構成であり、入出力部１０２は、図１０に示した入出力部１０２から磁石２７２と磁石２７４を削除した構成である。
【００８１】
図１１では、長辺方向に磁石が設けられる例を示したが、短辺方向に磁石が設けられるような構成とすることも可能である。図示はしないが、本体１０１は、図１０に示した本体１０１の磁石２５２と磁石２５４を有し、入出力部１０２は、図１０に示した入出力部１０２の磁石２７２と磁石２７４を有する構成とすることも可能である。
【００８２】
図示はしないが、本体１０１と入出力部１０２がそれぞれ２個の磁石を有する構成とする場合、本体１０１の長辺に１個、短辺に１個の磁石を設け、それらの設けられた磁石に対応する入出力部１０２の位置に磁石を設けるようにしても良い。例えば、本体１０１には、磁石２５１と磁石２５２（図１０）が備えられ、入出力部１０２には、磁石２７１と磁石２２が備えられる構成とすることも可能である。
【００８３】
このような本体１０１と入出力部１０２がそれぞれ２個の磁石を有する構成であっても、上記したように、本体１０１と入出力部１０２が正しい方向で重なり合うときには、磁力の引き合う力が働き、正しい方向での重なり合いに導くことができる構成である。
【００８４】
さらに、本体１０１と入出力部１０２にそれぞれ配置される磁石の数は、３個であっても良い。例えば図１２に示すように、本体１０１には、磁石２５１、磁石２８１、および磁石２８２が設けられている。磁石２５１は、図１１に示した磁石２５１と同じく、本体１０１の上辺に設けられ、表示部１１１が設けられている面に、Ｎ極が来るように配置されている。磁石２８１と磁石２８２は、図７に示した磁石２０３、磁石２０４と同じく、本体１０１の下辺の角の部分に設けられている。
【００８５】
同様に、入出力部１０２には、磁石２７３、磁石２９１、および磁石２９２が設けられている。磁石２７３は、図１１に示した磁石２７３と同じく、入出力部１０２の下辺に設けられ、キーボード１２１が設けられている面に、Ｓ極が来るように配置されている。磁石２９１と磁石２９２は、図７に示した磁石２２１、磁石２２２と同じく、入出力部１０２の上辺の角の部分に設けられている。
【００８６】
このような本体１０１と入出力部１０２がそれぞれ３個の磁石を有する構成であっても、上記したように、本体１０１と入出力部１０２が正しい方向で重なり合うときには、磁力の引き合う力が働き、正しい方向での重なり合いに導くことができる構成である。
【００８７】
また、図示はしないが、本体１０１と入出力部１０２にそれぞれ配置される磁石の数は、１個であっても良い。本体１０１に備えられた１個の磁石と、入出力部１０２に備えられた１個の磁石により、本体１０１と入出力部１０２が正しい方向で重なり合うときには、磁力の引き合う力が働く。
【００８８】
本体１０１と入出力部１０２が誤った方向で重なり合うときには、磁力の引き合う力は働かず、ユーザは、本体１０１に入出力部１０２が装着できない状態であることを認識し、正しい方向での装着を行う。よって、この場合も、本体１０１と入出力部１０２が正しい方向で重なり合うときには、磁力の引き合う力が働き、正しい方向での重なり合いに導くことができる構成である。
【００８９】
ただし、本体１０１と入出力部１０２にそれぞれ配置される磁石の数は、１個である場合、本体１０１と入出力部１０２の互いの係止状態が不安定な状態となる可能性がある。そこで、例えば、端子１１２と端子１２２が係合するような構成とし、端子１１２と端子１２２の係合と、磁石の引き合う力により、本体１０１と入出力部１０２が互いに係止し合うような仕組みを設けても良い。
【００９０】
なお図示はしないが、５個以上の磁石を備える構成とすることも可能であり、その磁石の配置などを考慮すれば、本体１０１と入出力部１０２が正しい方向で重なり合うときには、磁力の引き合う力が働き、正しい方向での重なり合いに導くことができる構成とすることが可能である。
【００９１】
上記した実施の形態においては、本体１０１と入出力部１０２が、同数の磁石を備える場合を例にあげて説明したが、異なる数の磁石を備える構成とすることも可能である。例えば、図１２に示した例において、入出力部１０２の磁石２９１と磁石２９２を１つの磁石とし、磁石２７３のように、辺に沿った長細い磁石として構成しても良い。この場合、本体１０１は３個の磁石を備え、入出力部１０２は２個の磁石を備えることになり、本体１０１と入出力部１０２は、異なる数の磁石を備える構成となる。
【００９２】
上記したのは一例であり、磁石の個数、配置、大きさなどは、本体１０１と入出力部１０２が正しい方向で重なり合うとき、磁力の引き合う力が働き、正しい方向での重なり合いに導くことができる構成であれば良い。
【００９３】
なお、磁力により影響を受ける可能性がある部分が本体１０１や入出力部１０２にある場合、例えば、非接触でデータの授受を行うポートなどが磁力の影響を受ける可能性がある場合、そのポートに影響がおよばないように、ポートと磁石ができる限り離されて配置されたり、ポートと磁石の間に磁力を遮る部材が配置されたりする。
【００９４】
＜端子の構成＞
さらに、この実施の形態においては、端子１１２と端子１２２を設けることで、本体１０１と入出力部１０２の正しい位置での重ね合わせの位置決めを行うことが可能な構成となっている。この端子１１２と端子１２２について説明を加える。
【００９５】
図１３は、端子１１２と端子１２２の部分を拡大した図である。端子１１２は凹状に構成され、端子１２２側に電力を給電する端子として設けられている。端子１２２は、凸状に構成され、端子１１２からの給電を受電する端子として設けられている。凹状の端子１１２に、凸状の端子１２２が収まるような構成とされている。端子１１２には、３本のピン３０１−１乃至３０１−３があり、端子１２２には、その３本のピン３０１を受ける位置に、パッド３１１−１乃至３１１−３が設けられている。
【００９６】
ピン３０１とパッド３１１が接触状態にあるとき、必要に応じて充電が行われる。ピン３０１−１とピン３０１−３は、電源のマイナスピンとプラスピンであり、ピン３０１−２は、キーボード１２１のバッテリー１８３（図３）の満充電を検出するためのピンである。ピン３０１−２により検出されるバッテリー１８３の容量に応じて充電が行われる。
【００９７】
例えば、ピン３０１とパッド３１１が接触している状態が検知され、ピン３０１−２により、バッテリー１８３の残容量が５０％を切っていると検出されたときには、充電が行われる。
【００９８】
このようにピン３０１とパッド３１１が接触することによる充電を接触充電と称し、後述するように、このようなピン３０１やパッド３１１を備えずに行う充電を非接触充電と称する。
【００９９】
図１３を参照するに、端子１１２の側面は曲面３０２を有している。また端子１２２の側面も曲面３１２を有している。曲面を有する構成とすることで、端子１１２が端子１２２に呼び込まれる（容易に収まる）ようになる。その理由について、図１４と図１５を参照して説明する。
【０１００】
図１４に示すように、曲面を有さない矩形の凹部３３１と凹部３３２が重なり合うときを考える。時刻Ｔ１において、凹部３３１は、凹部３３２上にあり、まだ凹状の部分には位置していない状態である。このような状態から、徐々に、凹部３３１を図中左側に、凹部３３２上をスライドさせながら移動させることを考える。
【０１０１】
時刻Ｔ２において、凹部３３１の半分は凹部３３２の凹状の部分に位置しているが、まだ重なり合うことはできない状態である。さらに、凹部３３１が左側にスライドし、時刻Ｔ３において、凹部３３１の凹状の部分が、完全に、凹部３３２の凹状の部分に位置すると凹部３３１の凹状の部分は、凹部３３２の凹状の部分に収まり、重なり合う状態となる。
【０１０２】
このように、矩形の凹部の場合、一方の凹状の部分が、完全に、他方の凹状の部分に位置したときに、一方の凹部が他方の凹部に収まる。仮に、ユーザが凹部３３１をスライドしていた場合、急に、凹部３３２に凹部３３１が落ちるような感じを受ける。このような矩形形状を端子１１２と端子１２２に適用した場合、端子１２２が端子１１２に急に落ちるような状態となり、呼び込まれて重なり合うという状態ではない。
【０１０３】
これに対して、図１５に示すように曲面を有する凹部の場合、端子１２２が端子１１２に急に落ちるような状態を防ぎ、呼び込まれて重なり合うという状態を作り出すことができる。図１５を参照して、曲面で構成された凹部３５１と凹部３５２が重なり合うときを考える。
【０１０４】
時刻Ｔ１において、凹部３５１は、凹部３５２上にあり、まだ曲面の部分には位置していない状態である。このような状態から、徐々に、凹部３５１を図中左側に、凹部３５２上をスライドさせながら移動させる。
【０１０５】
時刻Ｔ２において、凹部３５１の半分は凹部３５２の曲面の部分に位置している。凹部３５１が曲面で構成されているため、凹部３５１の一部は、凹部３５２に収まっている状態である。さらに、凹部３５１が左側にスライドし、時刻Ｔ３において、凹部３５１の曲面の部分が、完全に、凹部３５２の曲面の部分に位置すると凹部３５１分は、凹部３５２に完全に収まり、重なり合う状態となる。
【０１０６】
このように、曲面の場合、一方の曲面の部分が、徐々に、他方の曲面の部分に収まる。仮に、ユーザが凹部３５１をスライドしていた場合、徐々に凹部３５２に凹部３５１が落ちるような感じを受ける。このような曲面形状を端子１１２と端子１２２に適用した場合、端子１２２が端子１１２に徐々に落ちるような状態となり、呼び込まれて重なり合うという状態となる。
【０１０７】
そこで、図１３に示したように、端子１１２の側面に曲面３０２を設け、端子１２２の側面に曲面３１２を設ける。曲面３０２や曲面３１２を設けることで、図１５に示した曲面で形成された凹部３５１や凹部３５２の場合と同じ効果を得ることができ、端子１２２を端子１１２に徐々に落ちるような状態を実現し、呼び込まれて重なり合うという状態を実現することが可能となる。
【０１０８】
このように、端子１１２と端子１２２に、本体１０１と入出力部１０２が正しい方向で重なり合うときの位置決めのための役割と、本体１０１と入出力部１０２を重ね合わせやすくするための役割を持たせることが可能となる。
【０１０９】
端子１１２と端子１２２が、係合するような構成を有しているようにしても良い。本体１０１と入出力部１０２は、重ね合わされているとき、磁石による係止の他に、端子１１２と端子１２２が係合することによる係止も加えることで、本体１０１と入出力部１０２の係止状態をより確実なものとすることが可能となる。
【０１１０】
また、端子１１２や端子１２２を設けることで、本体１０１と入出力部１０２の位置ずれを防止することが可能となる。本体１０１と入出力部１０２が重ね合っているとき、磁石２０３と磁石２２２の力により、本体１０１と入出力部１０２は、互いに固定された状態となっている。
【０１１１】
本体１０１と入出力部１０２が重ね合っている状態から、入出力部１０２を取り外すときに、入出力部１０２にかかる力は、水平方向と垂直方向とでは異なる。すなわち、垂直方向の方が力が強く、水平方向の方が力が弱くなるように構成されている。これは、入出力部１０２を本体１０１に対して水平方向にスライドさせてから、垂直方向に持ち上げることで、入出力部１０２を本体１０１から取り外すことができるようにするためである。
【０１１２】
しかしながら、水平方向にかかる力が弱くても、入出力部１０２が本体１０１からスライドして取り外すことができるように構成すると、水平方向において、入出力部１０２が本体１０１に対して位置ずれを起こす可能性がある。
【０１１３】
入出力部１０２が本体１０１に対して位置ずれを起こさない構成とするために、磁石２０３と磁石２２２の磁力を強めることで、水平方向に対する力を強めることが考えられるが、磁石２０３と磁石２２２の磁力を強めると、本体１０１から入出力部１０２を取り外す際、入出力部１０２を本体１０１に対してスライドしづらくなり、入出力部１０２を取り外しづらくなり、使い勝手が損なわれる可能性がある。
【０１１４】
しかしながら、端子１１２や端子１２２を設けることで、端子１１２と端子１２２により、水平方向にかかる力が受け止められ、本体１０１と入出力部１０２の位置ずれを防止することが可能となる。また、端子１１２や端子１２２を設けることで、上記したように、本体１０１と入出力部１０２を正しい位置で重ね合わせるための位置決めを行うことも可能となる。
【０１１５】
ところで、本体１０１と入出力部１０２が重なり合っているとき、図１６に示すように、本体１０１の表示部１１１と入出力部１０２のキーボード１２１が情報処理装置１００に内包されている状態となる。本体１０１と入出力部１０２が重なり合っているときに、図１６に示すように、情報処理装置１００の上方から力が加えられたとする。
【０１１６】
このようなとき、キーボード１２１が表示部１１１に接触する可能性がある。仮にキーボード１２１が表示部１１１に接触すると、表示部１１１に傷がつくなど、不具合が発生する可能性がある。そのような不具合が発生しないように、図１６に示すように、表示部１１１とキーボード１２１との間には空間があるように構成する。
【０１１７】
図１６に示した例では、キーボード１２１が設けてある部分は、入出力部１０２において窪んだ部分とされている。換言すれば、入出力部１０２の縁の部分よりも、キーボード１２１が設けられている部分は、低くなるように構成されている。図１６では、説明のために、大きな空間が図示してあるが、実際には、ユーザが気づかない（意識しない）程度の窪みであっても良い。また、すり鉢状に形成することも可能である。また、表示部１１１が設けてある部分が窪みとされても良い。
【０１１８】
このように、表示部１１１とキーボード１２１との間に空間を設けることで、情報処理装置１００に力が加えられても、表示部１１１にキーボード１２１が接触するようなことを防ぐことができる。また、仮に表示部１１１にキーボード１２１が接触したとしても、その接触による衝撃を低減することが可能となる。
【０１１９】
＜非接触充電について＞
上記した実施の形態においては、端子１１２と端子１２２を設け、接触充電を行う場合を例に挙げて説明をしたが、以下に非接触充電の場合を例に挙げて説明をする。
【０１２０】
非接触充電の場合、情報処理装置１００の外観の構成は、図１７に示したようになる。すなわち、端子１１２と端子１２２は設けられず、その部分に、非接触充電を行うための給電部４０１と受電部４１１が設けられる。
【０１２１】
本体１０１には給電部４０１が設けられ、入出力部１０２には受電部４１１が設けられる。給電部４０１と受電部４１１は、本体１０１と入出力部１０２が重ね合わされたときに重なり合う位置に設けられている。給電部４０１と受電部４１１は、それぞれ本体１０１と入出力部１０２に内蔵されているため、ユーザから視認できないように構成されている。
【０１２２】
非接触充電の場合も、上記した実施の形態と同じく、磁石による反発力や引き合う力により、ユーザが、正しい方向で、本体１０１と入出力部１０２を重ね合わせることができるように構成されている。よって、本体１０１と入出力部１０２を重ね合わせられたときには、給電部４０１と受電部４１１も重なった状態となっている。
【０１２３】
図１８は、給電部４０１と受電部４１１の構成を示す図である。給電部４０１は、コイル４３１、電源４３２、コンデンサ４３３、および充電制御部４３４を備えている。コンデンサ４３３は共振用のコンデンサであり、電源４３２からの電力をコイル４３１に供給するものである。
【０１２４】
充電制御部４３４は、充電を制御するものである。この充電制御部４３４は、例えば、本体１０１と入出力部１０２が重なったことを検知し、入出力部１０２側のバッテリー１８３の容量が所定の容量以下であることを検知したとき、充電（給電）を開始する。
【０１２５】
入出力部１０２の受電部４１１は、コイル４４１、コンデンサ４４２、ダイオード４４３、コンデンサ４４４、およびバッテリー１８３を備えている。コンデンサ４４２は、共振用のコンデンサである。ダイオード４４３は、コイル４４１に発生した誘起電圧を整流するダイオードである。また、コンデンサ４４４は、コイル４４１に発生した誘起電圧を平滑するコンデンサである。バッテリー１８３は、これらの回路を介して充電される充電池であり、例えば、リチウムイオン電池やニッケル水素電池などが用いられる。
【０１２６】
このような構成を有する給電部４０１と受電部４１１が重なり合うことで充電が行われること以外は、上述した接触充電のときと同様な構成に、情報処理装置１００を構成することはできる。例えば、磁石の配置などは、上記した場合と同様の配置とすることができ、上記した場合と同じく、本体１０１と入出力部１０２が正しい方向で重なり合うときには、磁力の引き合う力が働き、正しい方向での重なり合いに導くことができる構成である。よって、その説明は省略する。
【０１２７】
ところで、非接触で充電が行われる場合、図１７に示したように、本体１０１や入出力部１０２には、端子１１２や端子１２２（図１）がない構成とされている。上記したように、本体１０１と入出力部１０２が重ね合わされている状態のとき、本体１０１に対して入出力部１０２がずれる可能性がある。端子１１２や端子１２２がある場合、これらの端子により位置ずれが起きないようにすることができ、正しい位置で重ね合わせられるようにするための位置決めの機能も有ることについては、既に説明した。
【０１２８】
しかしながら、非接触で充電が行われる構成とした場合、端子１１２や端子１２２の代わりとなる位置ずれを防止したり、位置決めを行うための機能を設けた方が良い。そこで、図１９に示すような構成とすることで、位置ずれを防止し、位置決めを行えるようにする。
【０１２９】
図１９Ａは、図１７に示した本体１０１と同じく、非接触で充電を行う構成とされている本体１０１の外観の構成を示す図である。本体１０１の表示部１１１の外周部分に段差を設ける。ここでは段差５０１とし、図１９Ａでは、太線で表した部分である。この段差５０１は、ステップ形状に設けられており、図１９Ｂに示すように、表示部１１１の表示面に対して突出するように構成されている。
【０１３０】
図１９Ｂは、本体１０１と入出力部１０２が重ね合わされた状態の断面を示す図である。段差５０１は、表示部１１１の外周部分に、表示面を基準としたとき、その基準の位置より高い位置に最も高い位置が来るように設けられている。また、入出力部１０２が本体１０１と重なったときに、入出力部１０２の外側に来る部分に設けられている。
【０１３１】
このような段差５０１を設けることで、図１９Ｂに示すように、本体１０１と入出力部１０２が重なった状態のときに、仮に、水平方向（図中矢印方向）に力が加えられたとしても、段差５０１により、その力が受け止められ、入出力部１０２が本体１０１に対して位置ずれしてしまうようなことを防ぐことが可能となる。また、段差５０１があることで、本体１０１と入出力部１０２が正しい位置で重ね合わされるようにするための位置決めを行うことも可能となる。
【０１３２】
図１９では、段差５０１を比較的大きく示したが、入出力部１０２を本体１０１からスライドさせて取り外すとき、そのスライドを妨げない大きさで構成されている。すなわち、入出力部１０２が本体１０１に対してスライドするために、所定の力以上の力が段差５０１にかかったときには、段差５０１により、そのスライド動作が妨げられることがない大きさや形状で、段差５０１は構成されている。よって、段差５０１が設けられても、入出力部１０２を本体１０１から取り外す際の妨げになることなく、使い勝手が低下してしまうようなことを防ぐことが可能となる。
【０１３３】
また所定の力以下のときには、位置ずれが起きないように、段差５０１により、その力が受け止められる大きさや形状で、段差５０１は構成される。このため、位置ずれが起きるようなことも防ぐことが可能となる。
【０１３４】
図１９Ａに示した本体１０１は、表示部１１１の外周部を一周するような形状で、段差５０１が設けられる例を示したが、段差５０１の形状は、このような形状に限定を示すものでない。例えば、一周するような形状であるが、途切れるところがないように設けられているのではなく断続的に設けられるように構成することも可能である。
【０１３５】
また、接触充電する構成とし、図１などに示したように、端子１１２や端子１２２が設けられた構成とされ、さらに段差５０１を備える構成とすることも可能である。
【０１３６】
＜裏面への装着について＞
上記した実施の形態においては、本体１０１の表示部１１１側に入出力部１０２を装着する場合を説明したが、本体１０１の裏面側に入出力部１０２を装着することができる。図２０は、本体１０１の裏面側に入出力部１０２が装着されたときの情報処理装置１００の外観の構成を示す図である。
【０１３７】
本体１０１の表示部１１１は、ユーザが視認できるように表にある。そして、本体１０１の裏面側（図中、下側）に、入出力部１０２が装着されている。入出力部１０２のキーボード１２１の面が、本体１０１の裏面と向かい合うように、入出力部１０２は、本体１０１に装着される。
【０１３８】
図２０に示したように、本体１０１の裏面側に入出力部１０２が装着されることで、情報処理装置１００をタブレット型のパーソナルコンピュータとして使用することができる。また、ユーザが、キーボード１２１を必要としたとき、本体１０１の裏面側に入出力部１０２が装着されているため、そのような要望にも即座に対応することが可能となる。
【０１３９】
このように、本体１０１の表面だけでなく、裏面側にも入出力部１０２を装着できるようにした場合、本体１０１の裏面側にも磁石を設ける必要がある。図２１に磁石の配置の一例を示す。図２１には、本体１０１の裏面側の磁石の配置例と、入出力部１０２のキーボード１２１（表面）側の磁石の配置例を示した。
【０１４０】
入出力部１０２の表面側の磁石の配置は、図７に示した入出力部１０２の表面側の磁石の配置と同じである。本体１０１の表面の磁石の配置は、図２１には図示していないが、図７に示した本体１０１の表面の磁石の配置と同じである。すなわちここで示した例は、図７に示した本体１０１の表面の磁石を、裏面側の磁石としても用いる例である。例えば、磁石２０１は、表面ではＮ極として用いられ、裏面側ではＳ極として用いられる。
【０１４１】
図２１を参照するに、本体１０１の裏面側においては、左上にＳ極の磁石２０２が位置し、右上にＳ極の磁石２０１が位置し、右下にＮ極の磁石２０４が位置し、左下にＮ極の磁石２０３が位置する。本体１０１の裏面側に入出力部１０２が装着される場合、本体１０１のＳ極の磁石２０１と入出力部１０２のＮ極の磁石２２１が重なり、本体１０１のＳ極の磁石２０２と入出力部１０２のＮ極の磁石２２２が重なるように、本体１０１の裏面側に入出力部１０２が装着される。
【０１４２】
同様に本体１０１の裏面側に入出力部１０２が装着される場合、本体１０１のＮ極の磁石２０３と入出力部１０２のＳ極の磁石２２３が重なり、本体１０１のＮ極の磁石２０４と入出力部１０２のＮ極の磁石２２４が重なるように、本体１０１の裏面側に入出力部１０２が装着される。
【０１４３】
このように、本体１０１と入出力部１０２に、それぞれ磁石を配置することで、本体１０１の裏面側にも、入出力部１０２を装着することが可能となる。そして、本体１０１だけでもタブレット型のパーソナルコンピュータとして使用することができるが、本体１０１の裏面側に入出力部１０２を装着しても、タブレット型のパーソナルコンピュータとして使用することができるようになる。
【０１４４】
このように本体１０１の裏面側に入出力部１０２を装着することができるように構成した場合であり、入出力部１０２が端子１２２を備える構成の場合、本体１０１の裏面に、端子１２２が収まる部分が設けられる。また、本体１０１の裏面に、端子１２２が収まる部分を設けた場合、その部分を端子１１２と同様の構成とすることで、本体１０１の裏面側に入出力部１０２が装着されたときにも、入出力部１０２のバッテリー１８３が充電されるように構成することも可能である。
【０１４５】
情報処理装置１００を非接触で充電が行われる構成とした場合、本体１０１の裏面側にも、給電部４０１を設けることで、本体１０１の裏面側に入出力部１０２が装着されたときにも、入出力部１０２のバッテリー１８３が充電されるように構成することも可能である。
【０１４６】
上記した実施の形態においては、本体１０１の表面に入出力部１０２を装着するときに用いられる本体１０１の磁石と、本体１０１の裏面に入出力部１０２を装着するときに用いられる本体１０１の磁石は、共用される場合を例にあげて説明したが、共用されない構成とすることも可能である。すなわち、本体１０１の表面に入出力部１０２を装着するときに用いられる本体１０１の磁石と、本体１０１の裏面に入出力部１０２を装着するときに用いられる本体１０１の磁石を、それぞれ表面と裏面に設けるようにしても良い。
【０１４７】
＜電磁石を用いた情報処理装置の重ね合わせについて＞
上記した実施の形態においては、磁石として永久磁石を用いた場合を説明したが、磁石として電磁石を用いても良い。例えば、本体１０１に備えられている磁石を電磁石とし、入出力部１０２に備えられている磁石を永久磁石とすることができる。
【０１４８】
電磁石を用いた場合、流す電流の大きさにより磁力の強弱を制御することができる。よって例えば、本体１０１と入出力部１０２が重なり合っているときには、電磁石に電流を流し、本体１０１と入出力部１０２が重なり合っている状態が維持されるようにし、本体１０１と入出力部１０２が重なり合っていないときには、電流を遮断し、電力消費を削減するように構成することができる。
【０１４９】
また、本体１０１と入出力部１０２が重ねられようとしているときには、各電磁石に比較的大きな電流を流し、磁力を強くし、本体１０１に対して、入出力部１０２が正しい方向で重ね合わされるように導くようにする。そして、重ね合わされた後には、電流を小さくし、重なり合っている状態が維持できるようにする。
【０１５０】
本体１０１に対して入出力部１０２が装着されようとしている状態であるのかは、所定のセンサにより検出するようにしても良い。例えば、入出力部１０２に設けられている磁力を検知するセンサを用いる。装着されようとしているときには、本体１０１に対して入出力部１０２が近づく状態であるので、入出力部１０２の磁石からの磁力が強くなる。そのような磁力の変化を検知し、本体１０１に対して入出力部１０２が装着されようとしている状態であるのか否かが検知されるように構成することも可能である。
【０１５１】
また明暗センサなどを用い、入出力部１０２が近づくことによる照度の変化を検知し、本体１０１に対して入出力部１０２が装着されようとしている状態であるか否かが検知されるように構成することも可能である。
【０１５２】
また電磁石を用いた場合、電流を流す方向を変えることで、磁石の極を変えることができる。例えば、本体１０１と入出力部１０２が重なり合っている状態から、本体１０１から入出力部１０２が離されるとき、電流の流れの向きを反対にし、本体１０１と入出力部１０２の磁石同士が反発するようにする。このようにすることで、ユーザが、本体１０１から入出力部１０２を離しやすくなり、ユーザが行いたい処理のアシストをすることが可能となる。
【０１５３】
例えば、本体１０１から入出力部１０２を離すときに操作されるボタンを設け、ボタンが操作されたとき、電流を流す方向を変えられるようにしても良い。
【０１５４】
また、ボタンが操作されたとき、電流を流す方向を変えるのではなく、電磁石に対する電力の供給が遮断されるようにしても良い。電磁石に対する電力の供給が遮断されることで、本体１０１と入出力部１０２が引き合う力がなくなり、本体１０１から入出力部１０２を離すことが容易な状態となる。よって、ボタンが操作されたとき、電磁石に対する電力の供給が遮断されるようにしても、ユーザをアシストすることができるようになる。
【０１５５】
また加速度センサやＧＰＳ（Global Positioning System）などを備え、情報処理装置１００が携帯され、移動されている状態であるか、卓上などに置かれている状態であるのかを検出できるように構成することも可能である。例えば、加速度センサやＧＰＳにより、情報処理装置１００が移動していると検出されたときには、本体１０１と入出力部１０２との係止状態が維持されるように、電磁石に電流を流す。
【０１５６】
一方で、加速度センサやＧＰＳにより、情報処理装置１００が移動していないと検出されたときには、本体１０１と入出力部１０２との係止状態であっても、その係止状態が外力により解除されづらい状態であるため、電磁石に流されている電流を小さくする。
【０１５７】
本実施の形態において、電磁石を用いることで上記したようなことができるように構成することも可能である。
【０１５８】
このように本技術によれば、本体１０１と入出力部１０２という別々の機器を離した状態で用いることもできるし、重ね合わせて携帯したり、タブレットとして用いたりすることができるようにすることができる。例えば、ディスプレイとキーボードといった異なる機器を、連携して用いたいときには連携して用いることができ、連携して用いないときには、ディスプレイにキーボードを装着し、タブレットとして使用することができる。
【０１５９】
またここでは、本体１０１に入出力部１０２が重ねられた状態のとき、本体１０１から給電し、入出力部１０２のバッテリー１８３が充電されるとして説明した。すなわち、充電する側（給電する側）の機器と充電される側（受電する側）の機器があり、充電する側の機器と充電される側の機器が、重ね合わされている状態のときに、充電が行われるとして説明した。このように、充電する側の機器と充電される側の機器との組み合わせにも、本技術を適用することはできる。
【０１６０】
本明細書において、システムとは、複数の装置により構成される装置全体を表すものである。
【０１６１】
なお、本技術の実施の形態は、上述した実施の形態に限定されるものではなく、本技術の要旨を逸脱しない範囲において種々の変更が可能である。
【０１６２】
なお、本技術は以下のような構成も取ることができる。
【０１６３】
（１）
表示部を備える第１の機器と、
情報の入力または出力のうちの少なくとも一方を行う第２の機器であり、前記第１の機器と通信により前記情報の授受を行う第２の機器と、
前記第１の機器は、複数の第１の磁石を備え、
前記第２の機器は、複数の第２の磁石を備え、
前記第１の磁石と前記第２の磁石は、前記第１の機器と前記第２の機器が重ね合わされたときに重なる位置に、前記第１の機器と前記第２の機器のそれぞれに配置され、
前記第１の機器と前記第２の機器が重ね合わされたとき、前記第１の磁石と前記第２の磁石の引き合う力により、前記第１の機器と前記第２の機器は互いに係止する状態となり、
前記第１の機器と前記第２の機器が重ね合わされる状態が、正しい方向で行われているか否かを検出する誤方向検出部を備える
情報処理装置。
（２）
前記誤方向検出部は、前記表示部が備えられている面側の前記複数の第１の磁石の極のうち、少なくとも１つの第１の磁石の極は、他の第１の磁石と異なる極とすることで構成されている
前記（１）に記載の情報処理装置。
（３）
前記第１の機器は、前記第２の機器に給電する給電端子をさらに備え、
前記第２の機器は、前記第１の機器からの給電を受ける受電端子をさらに備え、
前記第１の機器と前記第２の機器が重ね合わされた状態のとき、前記給電端子と前記受電端子が接続状態になる位置に、前記給電端子と前記受電端子は、それぞれ前記第１の機器と前記第２の機器に配置され、
前記給電端子と前記受電端子が接続しているとき、前記第２の機器の電池が充電される
前記（１）に記載の情報処理装置。
（４）
前記給電端子と前記受電端子のうちの一方は、一部に曲面を有する凸状の形状であり、他方は一部に曲面を有する凹状の形状である
前記（３）に記載の情報処理装置。
（５）
前記誤方向検出部は、前記給電端子と前記受電端子で構成される
前記（４）に記載の情報処理装置。
（６）
前記第１の機器は、前記第２の機器に給電する給電部をさらに備え、
前記第２の機器は、前記第１の機器からの給電を受ける受電部をさらに備え、
前記第１の機器と前記第２の機器が重ね合わされた状態のとき、前記給電部と前記受電部も重なり合う状態になる位置に、前記給電部と前記受電部は、それぞれ前記第１の機器と前記第２の機器に配置され、
前記給電部と前記受電部が重なり合っているとき、前記第２の機器の電池が充電される
前記（１）に記載の情報処理装置。
（７）
前記第２の機器は、キーボード、タッチパッド、ペンタブレット、スピーカーのいずれかを少なくとも含む機器である
前記（１）乃至（６）のいずれかに記載の情報処理装置。
（８）
前記第１の機器の前記表示部が設けられている面または前記第１の機器の裏面に、前記第２の機器が重ね合わされ、その重ね合わされた状態が前記第１の磁石と前記第２の磁石の引き合う力により維持される
前記（１）乃至（７）のいずれかに記載の情報処理装置。
（９）
前記第１の機器の裏面に、前記第２の機器が重ね合わされているとき、タブレット型のパーソナルコンピュータとして機能する
前記（１）乃至（８）のいずれかに記載の情報処理装置。
（１０）
前記第１の機器と前記第２の機器が重ね合わされた状態のとき、前記第１の機器の前記表示部と、前記第２の機器が接触しないように、前記第２の機器の前記表示部に対応する部分は、前記第２の機器の縁の部分よりも窪んだ形状で構成されている
前記（１）乃至（９）のいずれかに記載の情報処理装置。
（１１）
前記第１の機器の裏面には、前記第１の機器を支持する支持部が設けられ、
前記支持部は、前記第１の機器に対して開閉自在に設けられている
前記（１）乃至（１０）のいずれかに記載の情報処理装置。
（１２）
前記第１の機器の前記表示部の外周部分には、段差が設けられている
前記（１）乃至（１１）のいずれかに記載の情報処理装置。
（１３）
給電する第１の機器と、
前記第１の機器からの給電を受電する第２の機器と、
前記第１の機器は、複数の第１の磁石を備え、
前記第２の機器は、複数の第２の磁石を備え、
前記第１の磁石と前記第２の磁石は、前記第１の機器と前記第２の機器が重ね合わされたときに重なる位置に、前記第１の機器と前記第２の機器のそれぞれに配置され、
前記第１の機器と前記第２の機器が重ね合わされたとき、前記第１の磁石と前記第２の磁石の引き合う力により、前記第１の機器と前記第２の機器は互いに係止する状態となり、
前記第１の機器と前記第２の機器が重ね合わされる状態が、正しい方向で行われているか否かを検出する誤方向検出部を備える
情報処理装置。
【符号の説明】
【０１６４】
１００  情報処理装置，  １０１  本体，  １０２  入出力部，  １１１  表示部，  １２１  キーボード，  １３１  支持部，  １３２  収納部，  １４１  ボタン，  １４２  突起，  １４３  受け部，  ２０１乃至２０４  磁石，  ２２１乃至２２４  磁石
【図１】
2014235703.tif 000003
【図２】
2014235703.tif 000004
【図３】
2014235703.tif 000005
【図４】
2014235703.tif 000006
【図５】
2014235703.tif 000007
【図６】
2014235703.tif 000008
【図７】
2014235703.tif 000009
【図８】
2014235703.tif 000010
【図９】
2014235703.tif 000011
【図１０】
2014235703.tif 000012
【図１１】
2014235703.tif 000013
【図１２】
2014235703.tif 000014
【図１３】
2014235703.tif 000015
【図１４】
2014235703.tif 000016
【図１５】
2014235703.tif 000017
【図１６】
2014235703.tif 000018
【図１７】
2014235703.tif 000019
【図１８】
2014235703.tif 000020
【図１９】
2014235703.tif 000021
【図２０】
2014235703.tif 000022
【図２１】
2014235703.tif 000023